(57)【要約】【課題】骨材を押し込んでピアを建造するために用いられ、横応力を増大させるために効率的であり、ピアの建造では平底および面取りした側面を有するタンパーヘッドを利用する従来の方法より経費の削減が得られる細長いピラミッド形または円錐形のタンパーヘッドを提供すること。【解決手段】骨材のピアを建造する方法は、ほぼ均一な断面積を有する細長い空洞を地表面に形成するステップと、前記空洞にわたる距離にほぼ等しいリフト厚さを有する前記空洞に骨材のリフトを配置するステップと、穴の側壁の横応力を増大するために、前記空洞の前記横断面にほぼ等しい上部または底部を有するピラミッド形または円錐形のタンパーヘッドによってリフトをタンピングするステップと、連続したリフトによって前記配置するステップと前記タンピングステップを繰り返すステップとを含む方法である。【選択図】図１
2009510290.tif 000002
【特許請求の範囲】
【請求項１】
骨材のピアを建造する方法であって、
ほぼ均一な断面積を有する細長い空洞を地表面に形成するステップと、
前記空洞にわたる距離にほぼ等しいリフト厚さを有する前記空洞に骨材のリフトを配置するステップと、
穴の側壁の横応力を増大するために、前記空洞の前記横断面にほぼ等しい上部または底部を有するピラミッド形または円錐形のタンパーヘッドによってリフトをタンピングするステップと、
連続したリフトによって前記配置するステップと前記タンピングステップを繰り返すステップとを含む方法。
【請求項２】
前記タンピングするステップは、水平から４５度〜７５度まで変化させる傾きを有するタンパーヘッドを用いることを含む、請求項１に記載の方法。
【請求項３】
前記タンピングするステップは、円錐形のタンパーヘッドを用いることを含む、請求項１に記載の方法。
【請求項４】
前記タンピングするステップは、ピラミッド形のタンパーヘッドを用いることを含む、請求項１に記載の方法。
【請求項５】
前記細長い空洞は、略円筒形であり、前記タンピングするステップは、前記空洞の直径にほぼ等しい上部の横方向寸法を有するタンパーヘッドを用いることを含む、請求項１に記載の方法。
【請求項６】
前記タンパーヘッドの上部寸法は、前記空洞の直径の約９０％〜約１１０％である、請求項５に記載の方法。
【請求項７】
前記骨材のリフトを配置するステップは、細かい物質を有する少なくとも一つの石を有する骨材、再生コンクリート、再生アスファルト、スラグおよびセメント安定処理ベースを用いることを含む、請求項１に記載の方法。
【請求項８】
前記空洞を形成するステップは、ボーリングによるものである、請求項５に記載の方法。
【請求項９】
前記空洞を形成するステップは、細長いチューブまたはマンドレルを貫通させてから抜き取ることにによるものである、請求項１に記載の方法。
【請求項１０】
地表面の略垂直な穴に骨材が押し込まれるピアを形成し、前記穴は、略円形の断面を有するタンパーヘッドであって、下端部に向かって細くなり、前記穴の断面積の少なくとも約９０％である断面を上端部で有する略ピラミッド形または円錐形の本体を含むタンパーヘッド。
【請求項１１】
前記ピラミッド形または円錐形の本体の上端部に取り付けられる円形の閉じ込め板を更に含み、前記閉じ込め板は、前記ピラミッド形または円錐形の本体の上端部の最大寸法に実質的に等しいまたは大きい直径を有する、請求項１０記載のタンパーヘッド。
【請求項１２】
前記下端部は鈍化され、前記上端部の面積の２０％以下の鈍化された面積を有する、請求項１０に記載のタンパーヘッド。
【請求項１３】
前記略ピラミッド形または円錐形の本体の前記上端部は、前記穴の直径の約９０％〜約１１０％である最大寸法を有する、請求項１０に記載のタンパーヘッド。
【請求項１４】
前記略ピラミッド形または円錐形の本体は、水平に対して約４５度〜約７５度の角度で細くなる、請求項１０に記載のタンパーヘッド。
【請求項１５】
前記略ピラミッド形または円錐形の本体は、水平に対して約６０度の角度で細くなる、請求項１４に記載のタンパーヘッド。
【請求項１６】
前記タンパーヘッドは、円錐形である、請求項１０に記載のタンパーヘッド。
【請求項１７】
前記タンパーヘッドは、ピラミッド形である、請求項１０に記載のタンパーヘッド。
【請求項１８】
前記ピラミッド形は、六角形の断面を有する、請求項１７に記載のタンパーヘッド。
【請求項１９】
前記ピラミッド形は、八角形の断面を有する、請求項１７に記載のタンパーヘッド。
【請求項２０】
前記タンパーヘッドの上端部は、前記空洞の直径とほぼ同じ直径を有する、請求項１０に記載のタンパーヘッド。
【発明の詳細な説明】
【技術分野】
【０００１】
本出願は２００５年９月２９日出願の同時係属の米国仮出願第６０／７２１／５９４号の優先権を主張する。
【０００２】
本発明は建物、壁、産業施設、運輸関連構造物を支持するための基礎土壌に骨材のピアの設置することに関する。特に、本発明は、骨材が押し込まれるピアを、略細長いピラミッド型または円錐型である改善されたタンパーヘッドの使用を通じて、効率的に設置する方法およびその装置を改善する。ピラミッド型および円錐型のタンパーヘッドは、周囲の基礎土壌の横応力を効率的に増大し、早くかつ効率的なピアの建造工程を可能とするように設計されたものである。
【背景技術】
【０００３】
軟弱な土壌を含む地面に建造される重量があり、沈下に敏感な施設は多くの場合、打ち込み杭またはボーリング・コンクリートピアからなる深い基礎の上に支持されている。深い基礎は構造物の負荷を柔軟な土壌を介して、適した地層に移動するように設計されている。
【０００４】
近年、骨材のピアは柔軟な土壌を含む地面に位置する構造体を支持するのにますます使用されている。ピアは柔軟な地層を補強して強化することによって、沈下を最小にするように設計される。ピアは、米国特許第５，２４９，８９２号および米国特許第６，３５４，７６６号（骨材による短いピア（ｓｈｏｒｔ  ａｇｇｒｅｇａｔｅ  ｐｉｅｒ））に記載のボーリングおよびタンピング法（ｄｒｉｌｌｉｎｇ  ａｎｄ  ｔａｍｐｉｎｇ  ｍｅｔｈｏｄ）、米国特許第６，４２５，７１３号（「側方変位ピア（Ｌａｔｅｒａｌ  Ｄｉｓｐｌａｃｅｍｅｎｔ  Ｐｉｅｒ）」）に記載の「衝撃ピア（Ｉｍｐａｃｔ  Ｐｉｅｒ）」として知られるタンパーヘッドを打ち込むマンドレル法（ｔａｍｐｅｒ  ｈｅａｄ  ｄｒｉｖｅｎ  ｍａｎｄｒｅｌ  ｍｅｔｈｏｄ）（米国特許係属中）、およびテーパー・マンドレルを打ち込む方法（ｄｒｉｖｅｎ  ｔａｐｅｒｅｄ  ｍａｎｄｒｅｌ  ｍｅｔｈｏｄ）（米国特許係属中）を含む多様な方法を用いて建造される。
【０００５】
骨材による短いピア（米国特許第５，２４９，８９２号および米国特許第６，３５４，７６６号）は、空洞のボーリングまたは掘削を含み、穴の側壁の安定性が容易に維持できる粘着性の土壌に設置するときは効果的な解決策である。この方法は通常、ａ）基礎土壌に略円筒形の空洞または穴を開け、ｂ）空洞の底部で土壌を堅く圧縮し、ｃ）空洞に比較的細い骨材のリフトを設置し、ｄ）骨材のリフトを特別に設計され、面取りされたタンパーヘッドでタンピングし、ｅ）工程を繰り返して、地表面にほぼ広がる骨材のピアを形成することからなる。本工程の基本となるものは、面取りされたタンパーヘッドに十分なエネルギーを加えることによって、その工程で連続するタンピングの間に空洞側面上の基礎土壌の横応力を増大させることである。この横応力を増大させることは、基礎土壌の圧縮性を減少させ、ピアを設置する間に加わる負荷が効率的に基礎土壌に移動されることから重要である。
【０００６】
米国特許第５，２４９，８９２号に開示されているタンパーヘッドは平底であり、面取りされた側面を有している。商慣例では、面取りされたタンパーの平底部分はタンパーの断面積の約７０％であるが、面取りされた部分はタンパー断面積の約３０％を占めるにすぎない。したがって、タンパーの断面積の約７０％は骨材の各リフトを下向きに圧縮する（平底部分により為される）のに充てられ、タンパー断面積の３０％のみが基礎土壌の横応力を増大するのに充てられる（面取りされた部分で為される）。このように構成されているので、短骨材のピア法の面取りされたタンパーヘッドは、ほとんどの場合、３０インチ径の穴において１２インチのリフト用骨材を圧縮するのに使われている。
【０００７】
タンパーヘッドを打ち込むマンドレル法（「衝撃ピア」法）は短骨材のピア法からの変形例である。「衝撃ピア」法は中空パイプ（マンドレル）を地中に打ち込むことからなり、ボーリングを必要としない。パイプには、パイプよりも大きい径を有し、平底部分と面取りされた側面を有するタンパーヘッドが、その底面に取り付けられている。マンドレルは、ピアの高さの設計底面まで打ち込まれ、骨材を充填してから引き上げられる。それによって生じた空洞に骨材が流れ出す。その後、タンパーヘッドは、骨材を圧縮するために骨材の中に打ち込まれる。タンパーヘッドの平底部分で骨材を圧縮し、面取りされた側面は骨材を穴の側壁に押し込む。それによって、周囲の地盤の横応力を増大させる。
【０００８】
打ち込みテーパー・マンドレル法は、変位マンドレルを用いて骨材のピアを建造する他の方法である。この場合、マンドレルの形状は円錐台であり、底部よりも上部の方が大きく、垂線から約１〜５度のテーパー角を有する。マンドレルは地盤に打ち込まれ、打ち込みの間、基礎土壌を下向きまたは横方向に変位させる。ピアの高さの設計底面に達し、マンドレルが引き上げられると、地盤に円錐型の空洞が生じる。マンドレルの円錐型は穴の側壁を一時的に安定させ、骨材が地表面から空洞に導入される。骨材のリフトを設置した後、マンドレルは骨材に下向きに再度打ち込まれ、骨材を圧縮して穴の側壁へ横方向に押し込む。大きいマンドレルがピアの頂上近くで骨材を圧縮するのに使用される場合もある。
【発明の開示】
【発明が解決しようとする課題】
【０００９】
本発明は「細長いピラミッドまたは円錐型タンパーヘッドによって押し込まれる骨材のピア」に関する方法およびその装置に関し、公知の骨材のピアに関する方法、特に、米国特許第５，２４９，８９２号の骨材による短いピアに関する方法を改善する。
【課題を解決するための手段】
【００１０】
本発明は、一般的な形状の細長いピラミッドまたは円錐体である本体を有する空洞径のタンパーヘッドを利用するものである。詳細には、ピラミッド型本体は正多角形の底部または上部として有し、二等辺三角形の底面の先端に向かって細くなる側面として有する。そのようなピラミッド型のタンパーヘッドは、図１、２Ａ、および２Ｂに示す。円錐型の本体は略円形の底部または上部を有し、先端に向かって細くなる。そのような円錐型のタンパーヘッド本体は、図３、４Ａ、および４Ｂに示す。
【００１１】
本発明のピラミッド型および円錐型タンパーヘッドは、それぞれの上部または底部（尖ったタンピング端または底部端に対向して）の大きさは、ボーリングされた穴または空洞径にほぼ等しく、圧縮の間に基礎土壌の横応力が最大となるように設計されている。各型のタンパーヘッドは、タンパーの底辺先端から底部または上部に対して約６０度の好ましい角度で断面が増大する。タンパーヘッドの上部は、充填されるボーリングされた空洞径と等しい径であるように設計され、ピラミッド型本体の底部または上部に溶接された平らな円形板を備えていることが好ましい。図１に示すタンパーヘッドのピラミッド型本体の断面は、正八角形（８辺全ての長さは等しい）ではあるが、四角形、六角形のような他の正多角形も用いてもよい。円錐型本体の断面は、円形である。
【００１２】
本発明による細長いピラミッド型または円錐型タンパーヘッドは、タンパーを緩く設置した骨材のリフトに適用することができ、その骨材はタンパー底部または上部とほぼ等しい深さであり、言い換えると、充填される穴または空洞径に近い。したがって、２４インチ径の穴に対しては、骨材リフトの厚さを（公知のタンパーでは）１２インチから、２４インチに増やすことができることから、建造効率が増大する。
本発明によれば、タンパーヘッドの上部を充填される穴または空洞とほぼ等しい径にすることによって、タンピング操作中に骨材を閉じ込める。ピラミッド型または円錐型のタンパーヘッドによって横応力が増大することから、ピアの容量を公知のタンパーヘッドより増大することができる。したがって、本発明は効率的な建造工程とピア容量の増大を同時にもたらす。
【発明を実施するための最良の形態】
【００１３】
本発明の実施形態を詳細に説明するにあたり、本発明の適用において、以下の記載または図で示す構成要素の構造および配置の詳細に限定されないことを理解するべきである。本発明は他の実施形態が可能であり、さまざまな方法で利用または実施することができる。具体的には、図に示す寸法は、実施形態を示すのみであり、当業者は条件が保証するよう改作できる。
【００１４】
本発明の方法と装置は、骨材のピアの基礎土壌での効率的な設置を提供するものである。図５に示す方法は、基礎土壌内でほぼ均一な断面積を有し、細長い垂直空洞または穴１を形成する方法を備えている。好ましくは、垂直空洞は略円筒形であり、ボーリングなどの適切な方法で形成される。また、空洞は細長いチューブまたはマンドレルを貫通させてから抜き取ることによっても形成される。
【００１５】
次に、骨材のリフト２は、穴１の底部に設置される。本発明のタンパーヘッドの構成のために、穴に設置された骨材の各リフトの穴の厚さは、空洞径とほぼ等しくてもよい。次に、骨材リフトは、本発明のピラミッド型タンパーヘッド３または円錐型タンパーヘッド１３によってタンピングされる。特にこのようなタンパーヘッドは、穴の周囲の基礎土壌の横応力を大幅に増大するために、十分なエネルギーを加えるように設計されている。ピアは、連続するリフトを追加し、タンピングすることによって完成される。
【００１６】
ピラミッド型または円錐型のタンパーヘッドは、空洞の横方向の断面寸法にほぼ等しい上部または底部を有している。空洞が略円筒形である場合には、タンパーヘッド上部の横方向寸法は、空洞径に近い。
【００１７】
骨材を押し込んでピアを建造する方法は公知であり、本明細書に記載する必要はない。しかし、これらの開示内容は援用によって本明細書の内容の一部をなす。
【００１８】
図１、２Ａおよび２Ｂに示すように、ピラミッド型タンパーヘッド３は、細長いピラミッド型の本体４およびピラミッド型の本体の上方向に向いている底部９の上に溶接された円形の閉じ込め板５の２つの構成部品を備えていることが好ましい。タンパーヘッドは閉じ込め板なしで構成してもよい。
【００１９】
従来のタンパー・ロッドまたはマンドレル６は、各骨材リフトをタンピングする間、タンパーヘッド３を支持し、タンパーヘッドに必要なエネルギーを加えるために、閉じ込め板５の上に溶接されている。ピラミッド型本体４は１／２インチまたは３／８インチ厚の圧延鋼板で構成することが好ましく、正八角形の底部または上部を有するピラミッド型を形成するように曲げられることが好ましい。本体４の側面は、図１、２Ａおよび２Ｂに示されるように略ピラミッド型を形成するために共に溶接される。
【００２０】
好ましい実施の形態では、タンパーヘッド３はタンパーの上部の径は２４インチ、即ち、閉じ込め板の径は２４インチであり、上部のピラミッド型の対角線上の距離は２４インチである。ピラミッド型本体の側面を構成する２等辺三角形７は好ましくは水平から約６０度に向けられる。この形状によって、タンパーヘッド本体４のタンパーヘッドの長さは約２１インチとなる。
【００２１】
図３、３Ａおよび３Ｂに示すように、円錐型タンパーヘッド１３は、テーパー本体１４および円錐体先端１５を備えており、均一なテーパーを形成するために、先端１５のテーパーを本体１４のテーパーに合わせる。先端は硬く、本体１４の上部に溶接されたベースプレートとほぼ同じように好ましくは鋼鉄である。図４Ｂに示すように、本体１４は基本的には中空であり、補強するために内壁１８上に鋼鉄ガセット１７を備えている。ガセット１７は厚さ約５／８インチであり、好ましい実施形態によれば、中心から３インチ離れている。
【００２２】
タンパーヘッド上部の径は２４インチから変化させてもよいが、その径は好ましくは穴１の径と等しい。穴径とタンパーヘッド上部の径との間には差がいくらかあってもよいが、タンパーヘッド上部の径はボーリングされた穴径よりも１０％〜９０％の範囲外であってはならない。タンパーヘッドとボーリングされた穴径の比は、約０．９〜１．１であり、タンパーヘッド上部または閉じ込め板５（もし備えてあれば）によって、タンピング中に骨材２を閉じ込めるために重要である。タンパーヘッド上部が小さすぎると、骨材はタンピング中、上部の周辺に上向きに押し出される。タンパーヘッド上部が大きすぎると、タンピングの際に穴の側壁部分の一部を下向きに押し出される。
【００２３】
タンパーのテーパー角度は好ましくは約６０度であるが、水平から約４５度〜約７５度にわたってもよい。６０度のタンパーヘッド角度は、２４インチ径のタンパーヘッドによって圧縮する間に、約２フィート厚の骨材のリフトを十分に圧縮することができ、タンピング中、横応力を増大させるのに最適となるように設計される。従来、典型的には１フィート厚の骨材リフトにピアを建造するのに、数多くのリフトや多くの時間を必要としたが、本発明のピラミッド型および円錐型のタンパーヘッドは２倍の厚さまでのリフトを圧縮できるため、本発明のピラミッド型および円錐型タンパーヘッドは公知の短骨材のピア法を改善する。水平から６０度以下のタンパーヘッド角度は、厚さ２フィート未満の骨材リフトに適用でき、６０度以上のタンパーヘッド角度は厚いリフトを圧縮することができ、水平から６０度に向けられたタンパーヘッドよりも垂直方向の閉じ込めが少ない。
【００２４】
正方形、六角形、または他の多関節断面形状などを形成する鋼鉄製タンパーヘッド本体などの他のピラミッド型タンパーヘッドの寸法および形状も用いてよい。ピラミッド型または円錐型タンパーヘッドの壁厚は、１／４インチ〜１インチであり、タンパーヘッドの径、長さ、タンパーヘッド構成材料および打ち込み条件によって変化してもよい。ピラミッド型本体４および円錐型本体
１４は中空であってもよい。そのため、厚くて強い構成材料を使用するべきであるが、内部の支持体または板を備えることもでき、薄くて弱い構成材料を使用することができる。前述のように、タンパーヘッドのテーパー角度は、ピラミッド型本体４または円錐型本体１４のテーパー側が、骨材の圧縮および骨材の穴側壁の横方向への押圧の双方を、周辺土壌に対する圧力を増大させる４５度〜７５度の範囲で変化させてもよい。
【００２５】
好ましくは、タンパーヘッド３のピラミッド型本体４または円錐型本体１４は略尖った先端８および２０にそれぞれ収束される。しかし、尖った先端８および２０は切り取ってもよく、鈍化させてもよい。切り取りあるいは鈍化させた場合、鈍化した先端の面積はタンパーヘッド本体または円形の閉じ込め板の上部または底部の面積の２０％以下である必要がある。先端８または２０が鈍化すると、本発明のタンパーヘッドで適切にタンピングされる骨材リフトは薄くなる。そのため、略尖った先端が好ましい。
【００２６】
本明細書に記載され、図に示す好ましいタンパーヘッド３および１３を用いるため、適切な骨材は、最大粒子サイズ２インチで、その１２％以下がＮｏ．２００篩（０．０７４インチ）を通過する「上級の」ハイウェイ路盤骨材からなる。最大粒子サイズが１／４インチおよび３インチの清浄石、５％以下がＮｏ．２００篩（０．０７４インチ）を通過する骨材、再生コンクリート、スラグ、再生アスファルト、セメント安定処理ベースまたはその他の構成材料などの他の骨材も使用してよい。骨材の最大サイズは空洞径の２５％以下である必要がある。
【００２７】
本発明の第一の利点はピラミッド型または円錐型タンパーヘッドが公知のタンパーヘッドよりも、建造中に水平土圧を増大するのにより効果的であるということである。この横応力の増大は、タンパーヘッド３および１３の独特な形状によるものである。ピラミッド型または円錐型タンパーヘッドは、従来横応力の増大にその断面積の約３０％が充てられるのに対し、本発明はその断面積の１００％が充てられる。もう１つの利点は、タンパーヘッドの傾き角度を増大することによって、本発明のタンパーヘッドを従来の厚い骨材リフトに適用できることである。好ましい実施形態では、タンパーヘッドが２４インチ〜３０インチの骨材の緩く設置されたリフトに適用できることを意味する。実際、同じ支持能力を有するピアが、小さい径で厚いリフトで建造できることを意味する。
【００２８】
上述の利点は、公知の方法および本発明を用いて建造されたピアについて実施された負荷試験で示されており、図６および７に示す。図６は第一のプロジェクト現場の３つの負荷試験の結果を示す。２つの試験（「平底型ＲＡＰ」と表示されている）では、米国特許第５，２４９，８９２号の公知の方法を用いて建造される３０インチ径のピアについて、１２インチ厚の骨材リフトを圧縮して実施された。１つの試験（「ピラミッド型タンパーヘッドＲＡＰ」と表示されている）が、図１に示すように２４インチ径、６０度ピラミッド型ヘッドを用いて、２４インチ厚の骨材リフトを圧縮して実施された。図６に負荷試験の結果を示し、負荷試験の間にピアの上部に加えられた応力（ｘ軸）と、加えられた応力によって生じるたわみ（ｙ軸）との関係を示す。応力とたわみの比はピアの剛性係数であり、平らな勾配は剛性の高い応答を示す。ピアの底面のたわみの測定結果も示す。
【００２９】
図６に示す負荷試験の結果では、３つ全てのピアの上部において剛性が、約１５ｋｓｆの応力がピアの上部に加えられるまで、ほぼ等しいことを示している。ピアに１５ｋｓｆより大きい応力が加えられると、平底型ＲＡＰ＃１は、柔らかい応答を示す。ピアに約２５ｋｓｆより大きい応力が加えられると、平底型ＲＡＰ＃１および平底型ＲＡＰ＃２の剛性は、ピラミッド型タンパーヘッドＲＡＰの剛性よりもかなり小さくなる。これは、本発明によって建造されたピラミッド型タンパーヘッドピアが、建造中、ピア周囲の閉じ込め圧力を効率的に増大し、負荷時のピアの強度が増大するからである。重要なことは、本発明によれば、３つ全てのピアの剛性が等しい場合でも、公知の方法で建造されるピアよりも、効率的にピアが建造されるという利点が得られることである。
【００３０】
図７は第２のプロジェクト現場の３つの負荷試験の結果を示す。２つの試験が、米国特許第５，２４９，８９２号の公知の方法を用いて建造された３０インチ径のピアについて、１２インチ厚の骨材リフトを圧縮して実施された。１つの試験（「円錐型タンパーヘッドＲＡＰ」と表示されている）が、図１に示す２４インチ径、６０度ピラミッド型ヘッドを用いて、２４インチ厚の骨材リフトを圧縮して実施された。負荷試験の結果は、３つのピア全ての上部の剛性は、約１０ｋｓｆの応力が上部ピアに加えられまでほぼ等しいことを示している。ピアに１０ｋｓｆより大きい応力が加えられると、平底型ＲＡＰ＃１は、柔らかい応答を示す。ピラミッド型タンパーを用いて建造されたピアの剛性は、公知の方法により建造されたより大きくなる。
【００３１】
本発明は、厚いリフトを用いることによって建造が容易にできるという事実から、骨材のピアの建造工程を大幅に短縮することができる。本発明を用いた１つのプロジェクトでは、公知の方法を用いて建造した場合の時間の半分でピアが建造された。したがって、本発明は、ピアを早く設置できることから、従来に比べて時間およびコストを削減するという利益を提供する。
【００３２】
上記の記載と図面は、本発明の原理を示す説明にすぎないことを考えるべきである。本発明は、さまざまな形と大きさで構成されてもよく、好ましい実施形態の寸法に限定されるものではない。本発明の数限りない応用が当業者において容易に発生し得る。したがって、本発明は開示される特定の例または記載される厳密な建造および操作に限定するべきではない。むしろ、全ての適切な変形例および等価物は、本発明の範囲で用いることができる。
【図面の簡単な説明】
【００３３】
【図１】本発明の好適なピラミッド型タンパーヘッドを示す斜視図である。
【図２Ａ】図１のタンパー上部を示す側面図である。
【図２Ｂ】図１のタンパー上部を示す下面図である。
【図３】本発明の好適な円錐形のタンパーヘッド示す斜視図である。
【図４Ａ】図３のタンパー上部を示す側面図である。
【図４Ｂ】図４Ａの断面Ｂ−Ｂに沿った断面図である。
【図５】本発明のピア建造工程を示す概略図であり、空洞を形成する（例えばボーリング）ことと、空洞に骨材の第１のリフトを配置することと、横応力を増大するために図１のピラミッド型タンパーで骨材をタンピングすることと、地表面にピアを建設する骨材の他のリフトを配置およびタンピングすることを含む。
【図６】従来技術（「平底型タンパーヘッド」で示す）によって建造される２つのピアおよび本発明（「ピラミッド型タンパーヘッド」で示す）によって建造されるピアで実施される第１の負荷試験を示すグラフである。
【図７】従来技術（「平底型タンパーヘッド」で示す）によって建造される２つのピアおよび本発明（「ピラミッド型タンパーヘッド」で示す）によって建造されるピアで実施される第２の負荷試験を示すグラフである。
【図１】
2009510290.tif 000003
【図２Ａ】
2009510290.tif 000004
【図２Ｂ】
2009510290.tif 000005
【図３】
2009510290.tif 000006
【図４Ａ】
2009510290.tif 000007
【図４Ｂ】
2009510290.tif 000008
【図５】
2009510290.tif 000009
【図６】
2009510290.tif 000010
【図７】
2009510290.tif 000011
【国際調査報告】
2009510290.tif 000012